(57)【特許請求の範囲】
【請求項１】
入力画像データが表す画像の明度分布を解析する解析手段と、
前記明度分布に応じて、前記画像の光沢度を制御するための光沢制御信号を生成する生成手段と、
前記光沢制御信号に基づき、前記入力画像データを出力画像データに変換する変換手段と、
を有し、
前記解析手段は、前記画像のヒストグラムを作成し、該ヒストグラムに基づき前記画像の明るさのレンジである明度レンジを解析し、
前記明度分布は、前記ヒストグラムのピークが複数存在する場合、該ピーク間の明度差であることを特徴とする画像処理装置。
【請求項２】
入力画像データが表す画像の明度分布を解析する解析手段と、
前記明度分布に応じて、前記画像の光沢度を制御するための光沢制御信号を生成する生成手段と、
前記光沢制御信号に基づき、前記入力画像データを出力画像データに変換する変換手段と、
を有し、
前記解析手段は、前記画像のヒストグラムを作成し、該ヒストグラムに基づき前記画像の明るさのレンジである明度レンジを解析し、
前記生成手段は、前記明度レンジが広い場合ほど前記画像における光沢差を強調する前記出力画像データに変換させるよう、前記変換手段を制御する前記光沢制御信号を生成することを特徴とする画像処理装置。
【請求項３】
入力画像データが表す画像の明度分布を解析する解析手段と、
前記明度分布に応じて、前記画像の光沢度を制御するための光沢制御信号を生成する生成手段と、
前記光沢制御信号に基づき、前記入力画像データを出力画像データに変換する変換手段と、
を有し、
前記解析手段は、前記画像のヒストグラムを作成し、該ヒストグラムに基づき前記画像の明るさのレンジである明度レンジを解析し、
前記生成手段は、前記明度レンジが広い場合ほど前記画像における光沢差を強調し、かつ前記出力画像データが印刷される印刷媒体の光沢度が弱いほど前記画像における光沢差を強調する前記出力画像データに変換させるよう、前記変換手段を制御する前記光沢制御信号を生成することを特徴とする画像処理装置。
【請求項４】
前記明度分布は、前記ヒストグラムのピークが複数存在する場合、該ピーク間の明度差であることを特徴とする請求項２又は３に記載の画像処理装置。
【請求項５】
前記入力画像データは、ＲＧＢ表色系、Ｌ＊ａ＊ｂ＊表色系又はＸＹＺ表色系で表現されていることを特徴とする請求項１乃至４のいずれか一項に記載の画像処理装置。
【請求項６】
前記出力画像データの信号は、少なくとも３つの有色色材と、少なくとも１つの無色光沢制御材とを含む材料の信号であり、画像出力装置の制御用の信号であることを特徴とする請求項１乃至５のいずれか一項に記載の画像処理装置。
【請求項７】
前記変換手段により変換された出力画像データを用いて印刷媒体上に画像を記録する記録部をさらに有することを特徴とする請求項１乃至６のいずれか一項に記載の画像処理装置。
【請求項８】
入力画像データが表す画像の明度分布を解析する解析ステップと、
前記明度分布に応じて、前記画像の光沢度を制御するための光沢制御信号を生成する生成ステップと、
前記光沢制御信号に基づき、前記入力画像データを出力画像データに変換する変換ステップと、
を有し、
前記解析ステップでは、前記画像のヒストグラムを作成し、該ヒストグラムに基づき前記画像の明るさのレンジである明度レンジを解析し、
前記明度分布は、前記ヒストグラムのピークが複数存在する場合、該ピーク間の明度差であることを特徴とする画像処理方法。
【請求項９】
入力画像データが表す画像の明度分布を解析する解析ステップと、
前記明度分布に応じて、前記画像の光沢度を制御するための光沢制御信号を生成する生成ステップと、
前記光沢制御信号に基づき、前記入力画像データを出力画像データに変換する変換ステップと、
を有し、
前記解析ステップでは、前記画像のヒストグラムを作成し、該ヒストグラムに基づき前記画像の明るさのレンジである明度レンジを解析し、
前記生成ステップでは、前記明度レンジが広い場合ほど前記画像における光沢差を強調する前記出力画像データに変換させるよう、前記光沢制御信号を生成することを特徴とする画像処理方法。
【請求項１０】
入力画像データが表す画像の明度分布を解析する解析ステップと、
前記明度分布に応じて、前記画像の光沢度を制御するための光沢制御信号を生成する生成ステップと、
前記光沢制御信号に基づき、前記入力画像データを出力画像データに変換する変換ステップと、
を有し、
前記解析ステップでは、前記画像のヒストグラムを作成し、該ヒストグラムに基づき前記画像の明るさのレンジである明度レンジを解析し、
前記生成ステップでは、前記明度レンジが広い場合ほど前記画像における光沢差を強調し、かつ前記出力画像データが印刷される印刷媒体の光沢度が弱いほど前記画像における光沢差を強調する前記出力画像データに変換させるよう、前記光沢制御信号を生成することを特徴とする画像処理方法。
【請求項１１】
前記明度分布は、前記ヒストグラムのピークが複数存在する場合、該ピーク間の明度差であることを特徴とする請求項９又は１０に記載の画像処理方法。
【請求項１２】
前記入力画像データは、ＲＧＢ表色系、Ｌ＊ａ＊ｂ＊表色系又はＸＹＺ表色系で表現されていることを特徴とする請求項８乃至１１のいずれか一項に記載の画像処理方法。
【請求項１３】
前記出力画像データの信号は、少なくとも３つの有色色材と、少なくとも１つの無色光沢制御材とを含む材料の信号であり、画像出力装置の制御用の信号であることを特徴とする請求項８乃至１２のいずれか一項に記載の画像処理方法。
【請求項１４】
前記変換ステップにおいて変換された出力画像データを用いて印刷媒体上に画像を記録する記録ステップをさらに有することを特徴とする請求項８乃至１３のいずれか一項に記載の画像処理方法。
【請求項１５】
コンピュータを、請求項１乃至７のいずれか一項に記載された画像処理装置の各手段として機能させることを特徴とするプログラム。
【発明の詳細な説明】
【技術分野】
【０００１】
本発明は、印刷装置用の信号の生成に好適な画像処理に関する。
【背景技術】
【０００２】
顔料色材を用いたプリンタにおいては、その顔料色材の反射率及び紙面上における付着量によって光沢特性が変わることが知られている。これは、染料色材とは異なり、顔料色材が紙面上に残留することにより、染料色材では紙の表面で起こっていた反射が、紙を覆っている顔料の表面で起こるためである。即ち、顔料色材を使用したプリンタにとって、光沢の制御は非常に重要である。例えば、特許文献１には、有色インクと光沢に寄与する改善インクとを組み合わせることにより、光沢の均一性を高める技術が記載されている。
【先行技術文献】
【特許文献】
【０００３】
【特許文献１】特許第３５９１５３４号公報
【発明の概要】
【発明が解決しようとする課題】
【０００４】
しかしながら、印刷しようとする画像データによっては、特許文献１に記載の技術によっても十分な光沢の均一性を実現できない場合もある。
【０００５】
本発明は、光沢の制御を適切に行うことができる画像処理を提供することを目的とする。
【課題を解決するための手段】
【０００６】
本発明に係る第１の画像処理装置は、入力画像データが表す画像の明度分布を解析する解析手段と、前記明度分布に応じて、前記画像の光沢度を制御するための光沢制御信号を生成する生成手段と、前記光沢制御信号に基づき、前記入力画像データを出力画像データに変換する変換手段と、を有し、前記解析手段は、前記画像のヒストグラムを作成し、該ヒストグラムに基づき前記画像の明るさのレンジである明度レンジを解析し、前記明度分布は、前記ヒストグラムのピークが複数存在する場合、該ピーク間の明度差であることを特徴とする。
本発明に係る第２の画像処理装置は、入力画像データが表す画像の明度分布を解析する解析手段と、前記明度分布に応じて、前記画像の光沢度を制御するための光沢制御信号を生成する生成手段と、前記光沢制御信号に基づき、前記入力画像データを出力画像データに変換する変換手段と、を有し、前記解析手段は、前記画像のヒストグラムを作成し、該ヒストグラムに基づき前記画像の明るさのレンジである明度レンジを解析し、前記生成手段は、前記明度レンジが広い場合ほど前記画像における光沢差を強調する前記出力画像データに変換させるよう、前記変換手段を制御する前記光沢制御信号を生成することを特徴とする。
本発明に係る第３の画像処理装置は、入力画像データが表す画像の明度分布を解析する解析手段と、前記明度分布に応じて、前記画像の光沢度を制御するための光沢制御信号を生成する生成手段と、前記光沢制御信号に基づき、前記入力画像データを出力画像データに変換する変換手段と、を有し、前記解析手段は、前記画像のヒストグラムを作成し、該ヒストグラムに基づき前記画像の明るさのレンジである明度レンジを解析し、前記生成手段は、前記明度レンジが広い場合ほど前記画像における光沢差を強調し、かつ前記出力画像データが印刷される印刷媒体の光沢度が弱いほど前記画像における光沢差を強調する前記出力画像データに変換させるよう、前記変換手段を制御する前記光沢制御信号を生成することを特徴とする。
本発明に係る第１の画像処理方法は、入力画像データが表す画像の明度分布を解析する解析ステップと、前記明度分布に応じて、前記画像の光沢度を制御するための光沢制御信号を生成する生成ステップと、前記光沢制御信号に基づき、前記入力画像データを出力画像データに変換する変換ステップと、を有し、前記解析ステップでは、前記画像のヒストグラムを作成し、該ヒストグラムに基づき前記画像の明るさのレンジである明度レンジを解析し、前記明度分布は、前記ヒストグラムのピークが複数存在する場合、該ピーク間の明度差であることを特徴とする。
本発明に係る第２の画像処理方法は、入力画像データが表す画像の明度分布を解析する解析ステップと、前記明度分布に応じて、前記画像の光沢度を制御するための光沢制御信号を生成する生成ステップと、前記光沢制御信号に基づき、前記入力画像データを出力画像データに変換する変換ステップと、を有し、前記解析ステップでは、前記画像のヒストグラムを作成し、該ヒストグラムに基づき前記画像の明るさのレンジである明度レンジを解析し、前記生成ステップでは、前記明度レンジが広い場合ほど前記画像における光沢差を強調する前記出力画像データに変換させるよう、前記光沢制御信号を生成することを特徴とする。
本発明に係る第３の画像処理方法は、入力画像データが表す画像の明度分布を解析する解析ステップと、前記明度分布に応じて、前記画像の光沢度を制御するための光沢制御信号を生成する生成ステップと、前記光沢制御信号に基づき、前記入力画像データを出力画像データに変換する変換ステップと、を有し、前記解析ステップでは、前記画像のヒストグラムを作成し、該ヒストグラムに基づき前記画像の明るさのレンジである明度レンジを解析し、前記生成ステップでは、前記明度レンジが広い場合ほど前記画像における光沢差を強調し、かつ前記出力画像データが印刷される印刷媒体の光沢度が弱いほど前記画像における光沢差を強調する前記出力画像データに変換させるよう、前記光沢制御信号を生成することを特徴とする。
【発明の効果】
【０００７】
本発明によれば、画像に応じた制御が行われるため、光沢を適切に再現することができる。
【図面の簡単な説明】
【０００８】
【図１】第１の実施形態に係る画像処理装置の構成を示す機能ブロック図である。
【図２】画像の明るさ解析部１０１及び光沢制御信号生成部１０２を示す図である。
【図３】第１の実施形態に係る画像処理装置の動作を示すフローチャートである。
【図４】光沢度の制御の内容を示す図である。
【図５】第２の実施形態に係る画像処理装置の動作を示すフローチャートである。
【図６】総色材量とその光沢度との関係を示す図である。
【図７】顔料色材を用いた印字プロセスを説明するための図である。
【発明を実施するための形態】
【０００９】
以下、本発明の実施形態について添付の図面を参照して具体的に説明する。
【００１０】
（第１の実施形態）
先ず、第１の実施形態について説明する。図１は、第１の実施形態に係る画像処理装置の機能的な構成を示す機能ブロック図である。
図１に示すように、第１の実施形態に係る画像処理装置には、画像の明るさ解析部１０１（画像解析部）、光沢制御信号生成部１０２及び画像信号変換部１０３が設けられている。画像の明るさ解析部１０１は、入力された画像データが表す画像（入力画像）の特に明るさを解析する。光沢制御信号生成部１０２は、画像の明るさ解析部１０１により解析された入力画像の明るさに応じて出力画像の光沢を制御する信号（光沢制御信号）を画像のピクセル毎に生成する。画像信号変換部１０３は、光沢制御信号生成部１０２により生成された光沢制御信号、及び入力画像の色情報に基づいて、入力画像データを出力画像データに変換する。
【００１１】
次に、画像の明るさ解析部１０１及び光沢制御信号生成部１０２の詳細について説明する。図２は、画像の明るさ解析部１０１及び光沢制御信号生成部１０２の構成及び動作を示す図である。
図２に示すように、画像の明るさ解析部１０１には、画像入力部２０１及び明度レンジ取得部２０２が含まれている。画像入力部２０１は、記憶媒体又は外部に接続された情報処理装置等から画像に対応する入力画像データを取得する。明度レンジ取得部２０２は、入力画像データによって表される画像の明度のレンジを取得することで画像の明度分布を解析する。この明度分布の解析においては、例えばヒストグラムを用いたヒストグラム解析を行う。即ち、明度レンジ取得部２０２は、図２に示すように、例えば、昼間に屋外で撮影された入力画像２０３に対しては、ピークが高輝度寄りのヒストグラム２０６を作成し、このヒストグラム２０６を用いた解析を行う。また、例えば夜間に屋外で撮影された入力画像２０４に対しては、ピークが低輝度寄りのヒストグラム２０７を作成し、このヒストグラム２０７を用いた解析を行う。また、例えば昼間にトンネルで撮影された入力画像２０５に対しては、高輝度及び低輝度にピークが存在するヒストグラム２０８を作成し、このヒストグラム２０８を用いた解析を行う。
そして、光沢制御信号生成部１０２は、限られた範囲の階調にヒストグラムのピークが存在するような、明るさのレンジ（明度レンジ）の狭い入力画像に対しては、光沢が均一となるような光沢制御信号を生成する。一方、広範囲の階調にヒストグラムのピークが存在するように、明度レンジの広い入力画像に対しては、光沢差が強調されるように光沢制御信号を生成する。即ち、例えば、ヒストグラム２０６及びヒストグラム２０７に表わされるように、所謂ハイキーな入力画像２０３及びローキーな入力画像２０４に対しては、光沢が均一となるような光沢制御信号を生成する。一方、ヒストグラム２０８に表わされるように、複数のピークが互いに離れた位置に存在する入力画像２０５に対しては、光沢差が強調されるように光沢制御信号を生成する。
【００１２】
次に、上述のように構成された画像処理装置の動作について説明する。図３は、第１の実施形態に係る画像処理装置の動作を示すフローチャートである。
先ず、ステップＳ３０１において、画像の明るさ解析部１０１の画像入力部２０１が、入力画像データを取得する。入力画像データのフォーマットは特に限定されず、例えば、ＲＧＢ表色系、ＣＭＹＫ表色系、Ｌ＊ａ＊ｂ＊表色系又はＸＹＺ表色系等のものが用いられる。なお、入力画像データは、例えばＲＡＭ等の記憶部に記憶される。
次いで、ステップＳ３０２において、画像の明るさ解析部１０１の明度レンジ取得部２０２が、入力画像の明るさを解析する。このとき、明度レンジ取得部２０２は、上述のように、例えばヒストグラム解析を行う。そして、明度レンジ取得部２０２は、入力画像が、入力画像２０３又は２０４のように明度レンジが狭い画像であるのか、入力画像２０５のように明度レンジが広い画像であるのか解析し、その結果を出力する。
その後、ステップＳ３０３において、光沢制御信号生成部１０２が、明度レンジ取得部２０２による解析の結果に基づいて、明度レンジが予め定められている閾値以上であるか否かの判断を行う。そして、明度レンジが閾値以上であればステップＳ３０４に進み、そうでなければステップＳ３０５に進む。また、例えば、ヒストグラム２０８のように入力画像の明度に複数のピークが存在する場合に、当該ピーク間の明度の差（明度差）ｄを算出し、これが予め定められている閾値以上であるか否かに基づいて判断してもよい。さらに、明度レンジが閾値以上であり、かつ、明度の差ｄが閾値以上あるか否かに基づいて判断してもよい。
ステップＳ３０４では、光沢制御信号生成部１０２が、出力画像において異なる明るさの間での光沢差を縮小させるための光沢制御信号を生成することを決定する。ここで、図４に光沢制御信号の例を示す。図４では、入力画像の明るさに対して出力画像の光沢の強さである光沢度が比例する状態を通常状態５０２と仮定し、実線で示されている。光沢度の差である光沢差を縮小させるための光沢制御信号は関数５０１で示される。通常状態５０２に対して関数５０１で示される状態は、出力画像の光沢度が入力画像の明るさに拘わらず一定となる。
一方、ステップＳ３０５では、光沢制御信号生成部１０２が、出力画像の光沢差を強調させるための光沢制御信号を生成することを決定する。図４では、光沢差を強調させるための光沢制御信号は関数５０３で示される。関数５０３で示される状態は、入力画像の明るさに対する出力画像の光沢度の関係が「Ｓ」の字型の曲線を描く。つまり、ある明度を基準として、低明度では下に凸となり、高明度では上に凸となる曲線である。
そして、ステップＳ３０６において、光沢制御信号生成部１０２は、ステップＳ３０４又はＳ３０５で決定した光沢制御信号を通常状態５０２に基づき、関数５０１、関数５０３として生成する。なお、光沢制御信号は、例えば全画素に対して生成してもよく、また、関数５０１、関数５０３はスプライン関数などの公知の手法を用いて予め作成されたものを光沢制御信号生成部１０２の内部に格納しておいてもよい。
次いで、ステップＳ３０７において、画像信号変換部１０３が、色変換処理として、画像入力部２０１により取得された入力画像の信号を、光沢制御信号生成部１０２により生成された光沢制御信号に基づいて出力画像の信号に変換する。つまり、画像信号変換部１０３は、入力画像２０３及び２０４のような明度レンジが閾値未満の入力画像に対しては、光沢差が縮小する色変換処理を行い、入力画像２０５のような明度レンジが閾値以上の入力画像に対しては、光沢差が強調される色変換処理を行う。これらの色変換処理では、例えばＣＭＹＫの４色印刷を行う印刷装置用に４色の出力信号を生成する。また、４色に限らず、ＣＭＹＫＬｃＬｍの６色印刷を行う印刷装置用に６色の出力信号を生成してもよい。なお、色変換処理の詳細は後述する。
以下、光沢制御信号に基づく画像信号の色変換処理の詳細について説明する。一般に、顔料プリンタにおいては、顔料色材が記録媒体表面に残留するため、画像再現に使用される色材の総量(総色材量)と光沢度の相関が高いことが知られている。図６に、一般的な顔料色材を用いたプリンタにおける総色材量とその光沢度との関係を示す。図６（ａ）に示す関係は、電子写真プリンタ等の様に、画像形成過程に定着プロセスを有するプリンタの例であり、総色材量が多いほど光沢度が高いことを示している。図６（ｂ）に示す関係は、顔料インクジェットプリンタなどの画像形成過程に定着プロセスを有さないプリンタの例であり、総色材量が多くなる過程で、光沢が低くなっている。これは、顔料インクジェットの印字プロセスにおいて、図７（ａ）に示す、非印字領域と印字領域とが共存する状態、図７（ｂ）に示す、記録領域表面の全てが印字領域であり、比較的に総色材量が少ない状態、図７（ｃ）に示す、記録領域表面の全てが印字領域であり、比較的に総色材量が多いという状態を経過することに依る。これは、図７（ａ）から図７（ｂ）の段階では印字領域の面積に応じて光沢度が高くなり、図７（ｂ）から図７（ｃ）の段階では記録領域表面の形状が凸凹になる、いわゆる荒れることにより光沢度が低くなるためである。
以上から、総色材量の異なる組み合わせのうち、同一の色を再現可能な色材の組み合わせが複数存在すれば、同一な色に対して光沢を制御可能であることが分かる。すなわち、図６（ａ）の例であれば、同一の色を再現可能な色材の組み合わせのうち、総色材量が高い色材の組み合わせに色変換処理を行えば、光沢の高い画像の出力が可能となる。また、総色材量が低い色材の組み合わせに色変換処理を行えば、光沢の低い画像の出力が可能となる。
ここで、同一の色再現で総色材量の異なる出力信号を生成する色変換処理の方法としては、UCR(Under Color Removal)や、GCR(Gray Component Replacement)など公知の技術が使用可能である。例えば、Ｋ(墨)量を多くすればＣＭＹ量を減らすことが出来るため総色材量を少なくするよう制御でき、同様に、Ｋ(墨)量を少なくすればＣＭＹ量を増やすことが出来るため総色材量を多くするよう制御できる。さらに、Ｌｃ（ライトシアン），Ｌｍ（ライトマゼンタ）などの濃度の低い色材を持つプリンタにおいては、同一濃度を呈すＣ（シアン）とＬｃの組み合わせ量、Ｍ（マゼンタ）とＬｍの組み合わせ量を制御する事により、同一の色再現で総色材量の異なる出力信号を生成する色変換処理が可能である。
そこでステップＳ３０７では、ステップＳ３０１において取得された入力画像データを、ステップＳ３０６において生成された光沢制御信号に対応する光沢度を有する色材の組み合わせに色変換することで出力画像データを得る。具体的には、複数組の色材の組み合わせについて、各々の組み合わせにより再現可能な色と光沢度とを予め用意しておく。これら複数組の中から、ステップＳ３０６において生成された光沢制御信号に対応する光沢度を再現可能な組を選択することで入力画像データの各画素に対する出力信号を得る。なお、ステップＳ３０６において生成された光沢制御信号に対応する光沢度に一致する光沢度を有する組が予め用意された複数組の中に存在しない場合は、予め用意された組のうち最も近い２つの組を選択し、選択された２つの組におけるそれぞれの色材量について補間処理を行うことにより、出力信号を求めてもよい。
ステップＳ３０７が終了すると、一連の処理を完了する。
また、最近では無色透明なトナー／インクなどを用いた印刷もあり、有色インクの色材量を変えなくとも、無色透明なトナー／インクを足すことにより、総色材量を増やすことも可能である。即ち、有色インクの少ないハイライト領域などにおいて光沢をより高く制御することも可能である。
【００１３】
このような第１の実施形態によれば、入力画像の明度レンジに応じた出力画像の光沢の制御が行われるため、より再現性の高い出力画像を得ることができる。従って、この出力画像を用いて印刷を行えば、顔料色材を用いた場合でも、よりリアリティの高い印刷画像を得ることができる。
【００１４】
なお、明度レンジ取得部２０２が行う解析はヒストグラム解析に限定されず、例えばＲＧＢ画像のＧチャンネルの分布を用いた解析等を行ってもよい。ここで、Ｇチャンネルを使う理由は、Ｒ、Ｂチャンネルに比べてＧチャンネルが最も輝度の変化に対して相関が高いためであり、相関が高いものであればＧチャンネルに限られない。
また、明度レンジ取得部により解析される明度レンジは２段階（Ｓ３０３）に限定されず、３段階以上であってもよい。この場合、ステップＳ３０４及びＳ３０５と同様にして、明度レンジの段階に応じて光沢差の縮小及び強調に変化を持たせればよい。つまり、明度レンジが広い場合ほど、光沢差が強調されるように制御すればよい。例えば、関数５０１が示す勾配と状態５０２を表す直線の勾配との間の勾配をもつ関数を作成してもよい。また、関数５０３を表す「Ｓ」の字型を表現するガンマ値等を複数設けてもよい。
また、ステップＳ３０５において、関数５０３の制御に代えて、明部のみ、暗部のみ等の個別の制御を行ってもよい。
また、ステップＳ３０６において、光沢差をつけない画像については一律の制御信号をまとめておく構成にしてもよく、画像分布に応じてグループ化してもよい。また、システムのメモリ等ハードウエア的な制約条件によって変化させてもよい。
また、ステップＳ３０７の色変換処理により出力される信号は４色印刷用のものである必要はなく、他の色数用の信号であってもよい。例えば、少なくとも３つの有色色材と、少なくとも１つの無色光沢制御材とを含む材料の信号であり、プリンタ（画像出力装置）の制御用の信号である。
【００１５】
（第２の実施形態）
次に、第２の実施形態について説明する。第２の実施形態は、ステップＳ３０４又はＳ３０５とステップＳ３０６との間で、更に光沢を制御するための処理を行う点で、第１の実施形態と相違している。他の構成及び動作は第１の実施形態と同様である。図５は、第２の実施形態に係る画像処理装置の動作を示すフローチャートである。
第２の実施形態では、先ず、第１の実施形態と同様にしてステップＳ３０１〜Ｓ３０５の処理を行う。
そして、ステップＳ３０４又はＳ３０５の後、ステップＳ４０１において、光沢制御信号生成部１０２が、出力画像に基づく印刷が行われる印刷用紙（印刷媒体）の光沢度に関する情報を取得する。この情報は、例えば、ユーザインターフェース等を通じてユーザが入力してもよく、また、印刷用紙の光沢度を検出するセンサが印刷装置に設けられている場合には、このセンサを用いて検出してもよい。
その後、ステップＳ４０２において、光沢制御信号生成部１０２が、ステップＳ４０１で取得した光沢度に関する情報及び明度レンジ取得部２０２による解析の結果（ステップＳ３０２）に基づいて、光沢差を更に調整する制御の内容を決定する。例えば、ステップＳ３０５の後であれば、図４の関数５０３に対し、光沢度が強い印刷用紙ほど状態５０２の直線からの調整度合い（Ｓ字）を弱くし、状態５０２に近づく。一方、光沢度が弱い印刷用紙ほど状態５０２の直線からの調整度合い（Ｓ字）を強くするという制御の内容を決定する。
続いて、第１の実施形態と同様にして、ステップＳ３０６及びＳ３０７の処理を行う。
【００１６】
このような第２の実施形態によれば、入力画像の明度レンジだけでなく、印刷用紙の光沢度をも考慮した出力画像の光沢の制御が行われるため、より一層再現性の高い出力画像を得ることができる。
【００１７】
なお、上記実施形態の各工程は、ネットワーク又は各種記憶媒体を介して取得したソフトウェア（プログラム）をパーソナルコンピュータ等の処理装置（ＣＰＵ、プロセッサ）にて実行することでも実現できる。また、上記実施形態における画像処理装置をプリンタとして実現した場合は、プリンタの記録部により、ステップＳ３０７において変換された出力画像データを、印刷装置の記録部により印刷媒体上に印刷してもよい。
【図１】
0005606150.tif 000002
【図２】
0005606150.tif 000003
【図３】
0005606150.tif 000004
【図４】
0005606150.tif 000005
【図５】
0005606150.tif 000006
【図６】
0005606150.tif 000007
【図７】
0005606150.tif 000008